(57)【要約】【課題】脱穀排ワラの細断装置が上下向きの揺動軸芯まわりに揺動可能に備えられたコンバインにおいて、細断装置を支持部から取り外しやすくしつつ、細断装置を不測な持ち上げ操作力によって支持部から外れないようにする。【解決手段】支持部１６に設けられた支軸３２と、細断装置１１に設けられるとともに、支軸３２が挿入される穴部３３ａが形成された連結部材３３と、を有するヒンジ機構３０が備えられている。支軸３２が穴部３３ａから抜け出して細断装置１１が支持部１６から上方に離間するのを阻止する作用状態と、支軸３２が穴部３３ａから抜け出すのを許容する作用解除状態と、に切り換え可能な抜止め機構４０が備えられている。抜止め機構４０に、支軸３２に取付けられ、穴部３３ａの外径よりも外周側に突出する部分を有する鍔部材４２と、支軸に締結されることで鍔部材４２を先端部に着脱可能に固定するボルト４３と、が備えられている。【選択図】図４
2020103165.tif 000002
【特許請求の範囲】
【請求項１】
圃場の作物を収穫する収穫部と、
機体に支持されるとともに、前記収穫部によって収穫された作物を脱穀処理する脱穀装置と、
前記脱穀装置の後部に接続され、かつ、前記脱穀装置が排出した脱穀排ワラを受け入れて細断処理する細断装置と、
前記機体側に設けられ、前記細断装置が上下向きの揺動軸芯回りに揺動可能なように、前記細断装置を下方から支持する支持部と、
前記支持部及び前記細断装置の一方に前記揺動軸芯を軸芯とする状態で設けられた機体上下向きの支軸と、前記支持部及び前記細断装置の他方に設けられるとともに、前記支軸が挿入される穴部が形成された連結部材と、を有し、かつ、前記細断装置が前記揺動軸芯回りに揺動するのを可能にするヒンジ機構と、が備えられ、
前記ヒンジ機構に、前記支軸が前記穴部から抜け出して前記細断装置が前記支持部から上方に離間するのを阻止する作用状態と、前記支軸が前記穴部から抜け出すのを許容する作用解除状態と、に切り換え可能な抜止め機構が備えられ、
前記抜止め機構に、前記支軸のうち、前記支軸を前記連結部材に挿入する挿入方向における先端部に取付けられ、前記穴部の外径よりも外周側に突出する部分を有する鍔部材と、前記挿入方向に沿って前記先端部に締結されることで前記鍔部材を前記先端部に着脱可能に固定するボルトと、が備えられているコンバイン。
【請求項２】
前記抜止め機構に、前記支軸における前記穴部から前記挿入方向に向けて突出する部分に外嵌するとともに前記鍔部材と前記連結部材とに亘るように前記挿入方向に沿って延び、前記ボルトを締め付けることで前記鍔部材によって前記連結部材における前記穴部の外周部に当て付けられる筒部材を備えられている請求項１に記載のコンバイン。
【請求項３】
前記筒部材は、前記外周部に固定されている請求項２に記載のコンバイン。
【請求項４】
前記ヒンジ機構として、上側の上側ヒンジ機構と、下側の下側ヒンジ機構と、が備えられ、
前記下側ヒンジ機構における前記抜止め機構にのみ、前記筒部材が備えられている請求項２または３に記載のコンバイン。
【請求項５】
前記支持部及び前記細断装置の一方に、前記支軸を支持する軸支持部材が備えられ、
前記ヒンジ機構として、上側の上側ヒンジ機構と、下側の下側ヒンジ機構と、が備えられ、
前記上側ヒンジ機構及び前記下側ヒンジ機構の一方において、前記軸支持部材と前記連結部材とが上下方向に接触し、かつ、前記上側ヒンジ機構及び前記下側ヒンジ機構の他方において、前記軸支持部材と前記連結部材とが上下方向に離間している請求項２から４の何れか一項に記載のコンバイン。
【請求項６】
前記連結部材は、板状部材である請求項１から５の何れか一項に記載のコンバイン。
【発明の詳細な説明】
【技術分野】
【０００１】
本発明は、コンバインに関する。
【背景技術】
【０００２】
圃場の作物を収穫する収穫部と、機体に支持されるとともに、収穫部によって収穫された作物を脱穀処理する脱穀装置と、脱穀装置の後部に接続され、かつ、脱穀装置が排出した脱穀排ワラを受け入れて細断処理する細断装置と、が備えられ、細断装置は、上下向きの揺動軸芯回りに揺動可能に支持されたコンバインがある。
この種のコンバインとしては、たとえば特許文献１に示されるコンバインがある。特許文献１に示されるコンバインでは、収穫部としての刈取り部が備えられ、細断装置としての排ワラカッタが備えられている。
【先行技術文献】
【特許文献】
【０００３】
【特許文献１】特許第４８２９４８８号公報
【発明の概要】
【発明が解決しようとする課題】
【０００４】
上記したコンバインにおいて、機体側に設けられ、細断装置が上下向きの揺動軸芯回りに揺動可能なように、細断装置を下方から支持する支持部と、支持部及び細断装置の一方に前記揺動軸芯を軸芯とする状態で設けられた機体上下向きの支軸と、支持部及び細断装置の他方に設けられるとともに、支軸が挿入される穴部が形成された連結部材と、を有し、かつ、細断装置が揺動軸芯回りに揺動するのを可能にするヒンジ機構を備えることにより、細断装置の揺動が可能になる。
支軸が穴部から抜け出して細断装置が支持部から上方に離間することが許容されるようにヒンジ機構構を構成することにより、支軸を連結部材から抜き外せば細断装置を支持部から取り外すことができ、細断装置の点検や修理などのメンテンナスを行う際、細断装置を支持部から取り外しやすい。しかし、機体を後進させて細断装置の下部が畦に当たった際など、細断装置を持ち上げる操作力が発生すると、細断装置が支持部から外れる虞れがある。
【０００５】
本発明は、構造簡単な対策で細断装置を取り外しやすくしつつ、細断装置の不測な外れを防止できるコンバインを提供する。
【課題を解決するための手段】
【０００６】
本発明によるコンバインは、
圃場の作物を収穫する収穫部と、機体に支持されるとともに、前記収穫部によって収穫された作物を脱穀処理する脱穀装置と、前記脱穀装置の後部に接続され、かつ、前記脱穀装置が排出した脱穀排ワラを受け入れて細断処理する細断装置と、前記機体側に設けられ、前記細断装置が上下向きの揺動軸芯回りに揺動可能なように、前記細断装置を下方から支持する支持部と、前記支持部及び前記細断装置の一方に前記揺動軸芯を軸芯とする状態で設けられた機体上下向きの支軸と、前記支持部及び前記細断装置の他方に設けられるとともに、前記支軸が挿入される穴部が形成された連結部材と、を有し、かつ、前記細断装置が前記揺動軸芯回りに揺動するのを可能にするヒンジ機構と、が備えられ、前記ヒンジ機構に、前記支軸が前記穴部から抜け出して前記細断装置が前記支持部から上方に離間するのを阻止する作用状態と、前記支軸が前記穴部から抜け出すのを許容する作用解除状態と、に切り換え可能な抜止め機構が備えられ、前記抜止め機構に、前記支軸のうち、前記支軸を前記連結部材に挿入する挿入方向における先端部に取付けられ、前記穴部の外径よりも外周側に突出する部分を有する鍔部材と、前記挿入方向に沿って前記先端部に締結されることで前記鍔部材を前記先端部に着脱可能に固定するボルトと、が備えられている。
【０００７】
本構成によると、ボルト及び鍔部材を支軸から外すことにより、抜止め機構が作用解除状態に切り換わって支軸が穴部から抜け出して細断装置が支持部から上方に離間するのを許容するので、細断装置を支持部から取り外すことができる。ボルト及び鍔部材を支軸に取付けることにより、抜け止め機構が作用状態に切り換わって支軸が穴部から抜け出して細断装置が支持部から上方に離間するのを阻止するので、細断装置を持ち上げる操作力が発生しても細断装置が支持部から外れない。
【０００８】
従って、ボルト及び鍔部材を備える構造簡単な対策を講じるだけで安価に、細断装置を支持部から取り外しやすいようにでき、かつ、細断装置を不測な持上げ操作力によって外れないようにできる。
【０００９】
本発明においては、前記抜止め機構に、前記支軸における前記穴部から前記挿入方向に向けて突出する部分に外嵌するとともに前記鍔部材と前記連結部材とに亘るように前記挿入方向に沿って延び、前記ボルトを締め付けることで前記鍔部材によって前記連結部材における前記穴部の外周部に当て付けられる筒部材を備えられていると好適である。
【００１０】
本構成によると、連結部材を支軸に外嵌させるために連結部材に備えるボス部として筒部材が機能するので、連結部材と支軸との間のガタ付きや傾きを抑制でき、細断装置をガタ付いたり、傾いたりし難いように支持できる。
【００１１】
本発明においては、前記筒部材は、前記外周部に固定されていると好適である。
【００１２】
本構成によると、連結部材を支軸に外嵌させるために連結部材に固定状態で備えるボス部として筒部材が機能するので、連結部材と支軸との間のガタ付きや傾きを効果的に抑制でき、細断装置のガタ付いたり、傾いたりし難いようにしっかり支持できる。
【００１３】
本発明においては、前記ヒンジ機構として、上側の上側ヒンジ機構と、下側の下側ヒンジ機構とが備えられ、前記下側ヒンジ機構における前記抜止め機構にのみ、前記筒部材が備えられていると好適である。
【００１４】
本構成においては、細断装置がガタ付いたり、傾いたりする場合の支点側になる下側ヒンジ機構において、連結部材のボス部として筒部材が機能するので、下側ヒンジ機構のみに筒部材を備える構造簡単な対策によって細断装置のガタ付きや傾きを効果的に防止できる。
【００１５】
本発明においては、前記支持部及び前記細断装置の一方に、前記支軸を支持する軸支持部材が備えられ、前記ヒンジ機構として、上側の上側ヒンジ機構と、下側の下側ヒンジ機構と、が備えられ、前記上側ヒンジ機構及び前記下側ヒンジ機構の一方において、前記軸支持部材と前記連結部材とが上下方向に接触し、かつ、前記上側ヒンジ機構及び前記下側ヒンジ機構の他方において、前記軸支持部材と前記連結部材とが上下方向に離間していると好適である。
【００１６】
上側ヒンジ機構及び下側ヒンジ機構の両方において軸支持部材と連結部材とが接触するようにして上側ヒンジ機構及び下側ヒンジ機構を製作するよりも低い製作精度で上側ヒンジ機構及び下側ヒンジ機構を製作しても、製作精度に起因する組付け誤差が軸支持部材と連結部材との離間によって吸収されて細断装置を組付け不良が無い状態で支持できるので、細断装置の支持構造を製作容易に得られる。
【００１７】
本発明において、前記連結部材は、板状部材であると好適である。
【００１８】
本構成によると、連結部材が簡素な形状の部材になるので、ヒンジ機構をコンパクトに得ることができる。
【図面の簡単な説明】
【００１９】
【図１】コンバインの全体を示す左側面図である。
【図２】コンバインの後部を示す平面図である。
【図３】細断装置の支持構造を示す後面図である。
【図４】細断装置の支持構造を示す側面図である。
【図５】細断装置の開状態におけるヒンジ機構を示す平面図である。
【図６】別の実施形態を備える細断装置の支持構造を示す側面図である。
【発明を実施するための形態】
【００２０】
以下、本発明の一例である実施形態を図面に基づいて説明する。
なお、以下の説明では、コンバインの走行機体に関し、図１に示される矢印Ｆの方向を「機体前方」、矢印Ｂの方向を「機体後方」、矢印Ｕの方向を「機体上方」、矢印Ｄの方向を「機体下方」、図１の紙面表側の方向を「機体左方」、紙面裏側の方向を「機体右方」とする。
【００２１】
〔コンバインの全体について〕
図１に示されるように、コンバインは、角パイプ材などの複数の棒状材を連結して構成された機体フレーム１を有し、かつ、機体フレーム１の下部に装備された左右一対のクローラ式走行装置２を有する走行機体を備えている。走行機体の前部の右横側部分に、キャビン３を有する運転部４が形成されている。走行機体の前部に、収穫搬送部５が設けられている。収穫搬送部５は、下降作業状態と上昇非作業状態とにわたって上下揺動可能な状態で走行機体の前部の左横側部分に支持されている。収穫搬送部５は、収穫搬送部５の前部に設けられた収穫部５Ａと、収穫搬送部５の後部に設けられた搬送部５Ｂとを備えている。収穫部５Ａは、圃場の複数条の植付条に植立する作物としての稲、麦などの植立茎稈を引起装置６によって引き起こしながら、植立茎稈の株元をバリカン型の刈取装置７によって刈り取る収穫を行う。搬送部５Ｂは、収穫部５Ａが収穫した刈取茎稈を後方に搬送する。走行機体の後部に、脱穀装置８及び穀粒タンク９が横並びで設けられている。脱穀装置８は、搬送部５Ｂの後方に位置し、穀粒タンク９は、運転部４の後方に位置している。脱穀装置８は、脱穀機体の左横外側方に設けられた脱穀フィードチェーン１０を備え、搬送部５Ｂが搬送してきた刈取茎稈の株元側部分を脱穀フィードチェーン１０によって脱穀装置８の後方に向けて挟持搬送し、刈取茎稈の穂先側部分を扱室（図示せず）に挿入して脱穀処理し、脱穀粒をワラ屑などの塵埃と選別する選別処理を行う。脱穀装置８の後部に細断装置１１が接続可能に構成されている。脱穀装置８の左横側方と細断装置１１の左横側方とにわたり、エンジン（図示せず）の動力を脱穀装置８の選別部（図示せず）、及び、細断装置１１に伝達する動力伝達装置（図示せず）と、動力伝達装置などを横外側から覆う横カバー１２とが設けられている。横カバー１２は、複数枚の分割横カバーによって構成されている。脱穀装置８の後部に、脱穀フィードチェーン１０が扱室から排出した脱穀排ワラを細断装置１１に供給する排ワラ搬送装置１３と、排ワラ搬送装置１３の搬送終端側部分を覆う搬送カバー１３Ａとが設けられている。穀粒タンク９は、脱穀装置８によって得られた脱穀粒を揚穀装置１４によって供給されて貯留する。穀粒タンク９に貯留された脱穀粒を取り出す穀粒排出装置１５が穀粒タンク９の後部から延出されている。
【００２２】
〔細断装置の構成について〕
図１，２に示されるように、細断装置１１は、排ワラ搬送装置１３の搬送終端側部分の下方に位置する細断ケース２０、及び、細断ケース２０の下部から下向きに延ばされた放出ケース２１を備えている。図１，３に示されるように、細断ケース２０の内部に、回転カッター２２及び供給回転体２３が回転可能に設けられている。回転カッター２２及び供給回転体２３は、細断ケース２０の横幅方向に沿った回転軸２２ａ，２３ａを有し、回転軸２２ａ，２３ａの軸芯を回転中心にして回転駆動される。
【００２３】
図２，３に示されるように、細断ケース２０の右横側部分と、機体側に設けられた支持部１６とが細断ケース２０の上下２箇所に設けられたヒンジ機構３０を介して連結されている。支持部１６は、機体フレーム１の後部に立設された支柱によって構成されている。細断装置１１は、上下のヒンジ機構３０が有する機体上下向きの揺動軸芯Ｐ回りに、図２に実線で示される如く細断ケース２０が脱穀装置８の後壁８ａに沿った閉状態と、図２に二点鎖線で示される如く細断ケース２０が後壁８ａから機体右横側方に離れた開状態とにわたって揺動可能な状態で支持部１６に支持されている。細断装置１１を閉状態にした場合、細断ケース２０の左横側部分と脱穀装置８の脱穀機体とにわたって設けられたロック機構（図示せず）を作用させることにより、細断装置１１を閉状態に固定できる。本実施形態では、支持部１６は、機体フレーム１に立設された支柱によって構成されているが、これに限らない。たとえば、支持部１６としては、脱穀装置８を採用することが可能である。
【００２４】
細断装置１１においては、細断装置１１を閉状態にすると、細断ケース２０が排ワラ搬送装置１３に接続され、脱穀装置８から排出される脱穀排ワラの細断処理が可能になる。
具体的には、細断装置１１を閉じ状態にすると、細断ケース２０の上部に上向きに開口されている排ワラ投入口が排ワラ搬送装置１３の搬送終端部分の下方に位置する。排ワラ投入口の揺動蓋２４（図２，３参照）を開くと、排ワラ搬送装置１３が搬送してきた脱穀排ワラが排ワラ投入口に落下されて細断ケース２０の内部に受け入れられる。受け入れられた脱穀排ワラが供給回転体２３及び回転カッター２２の回転によって供給回転体２３と回転カッター２２との間に供給される。供給された脱穀排ワラが回転カッター２２の回軸芯方向に並んでいる回転刃２２ｂ（図３参照）によって稈身方向に切断される。切断によって得られた細断ワラが細断ケース２０から放出ケース２１の内部に落下され、放出ケース２１から圃場に放出される。
【００２５】
細断装置１１においては、細断装置１１を開状態にすることにより、脱穀装置８の後壁８ａに後向きに開口された点検口が開かれ、脱穀装置内の点検や清掃が可能になる。また、脱穀装置８の揺動選別装置（図示せず）の取り出しが可能になる。
【００２６】
〔ヒンジ機構の構成について〕
上側の上側ヒンジ機構３０Ｕ、及び、下側の下側ヒンジ機構３０Ｄのそれぞれは、図３，４，５に示されるように、支持部１６に設けられ、揺動軸芯Ｐを有する機体上下向きの支軸３２と、支軸３２に外嵌された状態で細断ケース２０に設けられた連結部材３３と、を備えている。支軸３２は、支持部１６から延びる支持アーム３１の先端部の上下２箇所に設けられた軸支持部材３１ａに支持されることにより、支持部１６に支持されている。連結部材３３は、細断ケース２０から延ばされた取付け杆２０ａに支持されていることにより、細断ケース２０に設けられている。本実施形態では、上側ヒンジ機構３０Ｕ及び下側ヒンジ機構３０Ｄの連結部材３３は、板状部材によって構成されているが、これに限らない。たとえば、ブロック状の部材、板部材を箱状に組み合わせた部材などを採用してもよい。
【００２７】
図４に示されるように、上側ヒンジ機構３０Ｕ及び下側ヒンジ機構３０Ｄのそれぞれにおける連結部材３３に、連結部材３３を支軸３２に上方から脱着可能かつ回転可能に外嵌させる穴部３３ａが形成されている。上側ヒンジ機構３０Ｕにおいて、連結部材３３と上の軸支持部材３１ａとが接触して軸支持部材３１ａが連結部材３３を下方から受け止めて支持するように構成されている。下側ヒンジ機構３０Ｄにおいて、連結部材３３と上の軸支持部材３１ａとが離間し、連結部材３３と上の軸支持部材３１ａとの間に隙間Ｓが形成されるよう構成されている。
【００２８】
〔抜止め機構の構成について〕
図３，４に示されるように、上側ヒンジ機構３０Ｕに、細断装置１１の外れ止めを行う抜止め機構４０が備えられている。
【００２９】
抜止め機構４０は、図４に示されるように、支軸３２のうち、連結部材３３から上方に突出する部分に外嵌された筒部材４１と、支軸３２のうち、筒部材４１から上方に突出する先端部に取付けられた鍔部材４２と、支軸３２のうち、鍔部材４２から上方に突出する先端部に締結されたボルト４３と、を備えている。
【００３０】
筒部材４１は、連結部材３３の穴部３３ａの外径よりも外周側に突出する部分を有するよう構成されている。具体的には、筒部材４１は、穴部３３ａの外径よりも大きい外径を有する円筒部材によって構成されている。筒部材４１は、支軸３２のうち、穴部３３ａから連結部材３３に対する挿入方向に向けて突出する部分に外嵌されている。鍔部材４２は、連結部材３３の穴部３３ａの外径よりも外周側に突出する部分を有するよう構成されている。具体的は、鍔部材４２は、穴部３３ａの外径よりも大きい外径を有るする円板部材によって構成されている。鍔部材４２は、支軸３２のうち、筒部材４１から連結部材３３に対する挿入方向に向けて突出する先端部に取付けられている。ボルト４３は、支軸３２が穴部３３ａに挿入される方向に沿って支軸３２に締結されるように構成され、かつ、支軸３２に締結されることで、ボルト４３の頭部によって鍔部材４２を上方から押圧して、鍔部材４２を支軸３２に取付けるように、かつ、筒部材４１を連結部材３３における穴部３３ａの外周部に当て付けるように構成されている。ボルト４３を支軸３２から取り外すことにより、鍔部材４２を支軸３２から取り外すことができ、筒部材４１を支軸３２から上方に抜き外すことができる。本実施形態では、筒部材４１として円筒部材が採用されているが、これに限らない。例えば六角形や四角形など、非円形の筒部材の採用が可能である。また、本実施形態では、鍔部材４２として、円板部材が採用されているが、これに限らない。たとえば、六角形、四角形、三角形など、非円形の部材の採用が可能である。また、板状部材の他、ブロック状の部材の採用が可能である。
【００３１】
抜止め機構４０においては、筒部材４１、鍔部材４２及びボルト４３が装着されることにより、細断装置１１が支持部１６から外れることを阻止するように作用状態になる。
すなわち、筒部材４１、鍔部材４２及びボルト４３が装着されると、鍔部材４２がボルト４３の締め付け力によって筒部材４１に押し付けられ、筒部材４１が連結部材３３に当て付けられ、支軸３２が穴部３３ａから抜け出そうとしても、すなわち、連結部材３３が支軸３２から抜け出そうとしても、鍔部材４２がストッパーになり、支軸３２が穴部３３ａから抜け出して（連結部材３３が支軸３２から抜け出して）細断装置１１が支持部１６から上方に離間することが阻止される。
【００３２】
抜止め機構４０においては、鍔部材４２及びボルト４３が取り外されることにより、細断装置１１が支持部１６から外れることを許容するように作用解除状態になる。
すなわち、鍔部材４２及びボルト４３が取り外されると、支軸３２が穴部３３ａから抜け出すことに対するストッパーが無くなり、筒部材４１の支軸３２からの抜け出しが可能になり、支軸３２が穴部３３ａから抜け出して細断装置１１が支持部１６から上方に離間することを許容される。
【００３３】
細断装置１１を取付ける場合、上側ヒンジ機構３０Ｕ及び下側ヒンジ機構３０Ｄの連結部材３３を支軸３２に上方から外嵌させる。上側ヒンジ機構３０Ｕにおいて、連結部材３３と上の軸支持部材３１ａとが接触して連結部材３３が軸支持部材３１ａによって下方から受け止め支持される状態になると、下側ヒンジ機構３０Ｄにおいて、連結部材３３と上の軸支持部材３１ａとが接触しないで離間しているが、上側ヒンジ機構３０Ｕの連結部材３３が軸支持部材３１ａによって下方から受け止め支持されることにより、細断装置１１が支持部１６によって下方から支持されると共に軸芯Ｐ回りに揺動開閉可能に支持される状態になり、細断装置１１の取付ができる。
【００３４】
細断装置１１の取付けを行う場合、上側ヒンジ機構３０Ｕ及び下側ヒンジ機構３０Ｄの製作精度に起因して上側ヒンジ機構３０Ｕ及び下側ヒンジ機構３０Ｄの組付け誤差が発生しても、下側ヒンジ機構３０Ｄの連結部材３３と軸支持部材３１ａとの間の隙間Ｓによって組付け誤差が吸収され、細断装置１１を組付け不良が無い状態で支持部１６に支持される。
【００３５】
細断装置１１を取付けた場合、筒部材４１、鍔部材４２及びボルト４３を取り付けて抜止め機構４０を作用状態に切り換える。すると、上側ヒンジ機構３０Ｕにおける連結部材３３の支軸３２からの抜け出しが抜止め機構４０によって阻止され、上側ヒンジ機構３０Ｕにおける連結部材３３の支軸３２からの抜け出しが阻止されることにより、下側ヒンジ機構３０Ｄにおける連結部材３３の支軸３２からの抜け出しも阻止され、走行機体を後進させて細断装置１１の下部が畦に当ったときなど、細断装置１１を上昇させる操作力が発生しても、細断装置１１が支持部１６から外れることを回避できる。また、上側ヒンジ機構３０Ｕにおいて、連結部材３３を支軸３２に外嵌させるために連結部材３３に備えるボス部の機能を筒部材４１が備え、連結部材３３と支軸３２との間のガタ付きや傾動が発生し難くなる。
【００３６】
細断装置１１を取り外すのには、鍔部材４２及びボルト４３が取り外して抜止め機構４０を作用解除状態に切り換える。抜止め機構４０が作用解除状態になると、細断装置１１を上昇操作することにより、上側ヒンジ機構３０Ｕの連結部材３３が支軸３２から上方に抜け外れて、かつ、下側ヒンジ機構３０Ｄの連結部材３３が支軸３２から上方に抜け外れて細断装置１１が支持部１６から上方に離間し、細断装置１１を取り外すことができる。
【００３７】
〔別実施形態〕
（１）図６は、別の実施形態を備える細断装置１１の支持構造を示す側面図である。別の実施形態を備える支持構造では、上側ヒンジ機構３０Ｕ及び下側ヒンジ機構３０Ｄのうちの下側ヒンジ機構３０Ｄに、抜止め機構４０が備えられている。この抜止め機構４０では、筒部材４１が連結部材３３に固定されている。本実施形態では、筒部材４１の連結部材３３に対する固定は、溶接によって行われている。これに限らず、筒部材４１フランジ部を備え、フランジ部と、フランジ部を連結部材３３に連結する連結ボルトとによって筒部材４１を連結部材３３に固定する固定手段の採用が可能である。上側ヒンジ機構３０Ｕ及び下側ヒンジ機構３０Ｄのそれぞれにおいて、軸支持部材３１ａと連結部材３３とが接触して連結部材３３が軸支持部材３１ａによって下方から支持されることにより、細断装置１１が支持部１６によって下方から支持されている。
【００３８】
（２）上記した実施形態では、支軸３２が支持部１６に設けられ、連結部材３３が細断装置１１に設けられ、連結部材３３が支軸３２に対して上方に抜け出ることによって細断装置１１が支持部１６から外れる構成を示したが、これに限らない。すなわち、支軸が細断装置１１に設けられ、連結部材３３が支持部１６に設けられ、支軸３２が連結部材３３から上方に抜け出ることによって細断装置１１が支持部１６から外れる構成を採用してもよい。要するに、支軸が連結部材の穴部に挿入されて細断装置１１が支持部１６に支持され、支軸が連結部材の穴部から抜け出て細断装置１１が支持部１６に対して上方に離間するものであればよい。
【００３９】
（３）上記した実施形態では、上側ヒンジ機構３０Ｕにおいて、軸支持部材３１ａと連結部材３３とが接触し、下側ヒンジ機構３０Ｄにおいて、軸支持部材３１ａと連結部材３３とが離間している構成を採用された例を示したが、上側ヒンジ機構３０Ｕにおいて、軸支持部材３１ａと連結部材３３とが離間し、下側ヒンジ機構３０Ｄにおいて、軸支持部材３１ａと連結部材３３とが接触する構成を採用してもよい。
【００４０】
（４）上記した実施形態では、支持部１６が支柱によって構成された例を示したが、これに限らず、支持部１６として脱穀装置８を採用したものでもよい。
【００４１】
（５）上記した実施形態では、細断装置１１が機体の右横側に開かれる構成を採用した例を示したが、機体の左横側に開かれるものでもよい。
【００４２】
（６）上記した実施形態では、筒部材４１を設けた例を示したが、これに限らず、筒部材４１を設けず、鍔部材４２が連結部材３３に直接に当る構成を採用してもよい。
【００４３】
（７）上記した実施形態では、脱穀装置８が自脱型に構成された例を示したが、刈取作物の株元から穂先までの全体が扱室に供給される脱穀装置が採用されたものでもよい。
【産業上の利用可能性】
【００４４】
本発明は、自脱型のコンバインに限らず、普通型のコンバインに適用できる。
【符号の説明】
【００４５】
５Ａ        収穫部
８          脱穀装置
１１        細断装置
１６        支持部
３０        ヒンジ機構
３０Ｕ      上のヒンジ機構
３０Ｄ      下のヒンジ機構
３１ａ      軸支持部材
３２        支軸
３３        連結部材
３３ａ      穴部
４０        抜止め機構
４１        筒部材
４２        鍔部材
４３        ボルト
【図１】
2020103165.tif 000003
【図２】
2020103165.tif 000004
【図３】
2020103165.tif 000005
【図４】
2020103165.tif 000006
【図５】
2020103165.tif 000007
【図６】
2020103165.tif 000008